(57)【要約】【課題】着用者の身体の形状に対応し、フィット性を向上させる吸収性物品を提供する。【解決手段】互いに直交する長手方向、幅方向、及び厚さ方向を備え、液体吸収性繊維を有する吸収体（１０）を有する吸収性物品（１）であって、前記吸収体（１０）は、前記幅方向における中央位置を含む中央領域に、前記長手方向に沿った凹部（１５）を有し、前記厚さ方向において前記凹部（１５）に肌側から隣接する肌側部位（Ｈ）の繊維密度は、前記幅方向において前記凹部（１５）に外側から隣接する外側部位（Ｌ）の繊維密度よりも高く、着用時に股間部に位置する股間部位における前記肌側部位（Ｈ）の繊維密度は、前記長手方向の一端部における前記肌側部位（Ｈ）の繊維密度よりも高い。【選択図】図１０
2018102828.tif 000002
【特許請求の範囲】
【請求項１】
互いに直交する長手方向、幅方向、及び厚さ方向を備え、
液体吸収性繊維を有する吸収体を有する吸収性物品であって、
前記吸収体は、前記幅方向における中央位置を含む中央領域に、前記長手方向に沿った凹部を有し、
前記厚さ方向において前記凹部に肌側から隣接する肌側部位の繊維密度は、前記幅方向において前記凹部に外側から隣接する外側部位の繊維密度よりも高く、
着用時に股間部に位置する股間部位における前記肌側部位の繊維密度は、前記長手方向の一端部における前記肌側部位の繊維密度よりも高いことを特徴とする吸収性物品。
【請求項２】
請求項１に記載の吸収性物品において、
前記股間部位における前記凹部の最も深い最深部と前記幅方向において重なる位置における、前記吸収体の前記厚さ方向の中央は、
前記外側部位と前記幅方向において重なる位置における、前記吸収体の前記厚さ方向の中央より前記肌側に位置することを特徴とする吸収性物品。
【請求項３】
請求項１又は２に記載の吸収性物品において、
前記凹部は、前記吸収体の前記長手方向の一端から他端まで設けられていることを特徴とする吸収性物品。
【請求項４】
請求項１から３のいずれか１項に記載の吸収性物品において、
前記股間部位における前記肌側部位の単位面積当たりの前記液体吸収性繊維の質量は、
前記一端部における前記肌側部位の単位面積当たりの前記液体吸収性繊維の質量より大きいことを特徴とする吸収性物品。
【請求項５】
請求項１から４のいずれか１項に記載の吸収性物品において、
前記股間部位における前記幅方向に沿った前記凹部の断面形状は、前記一端部における前記幅方向に沿った前記凹部の断面形状と異なっていることを特徴とする吸収性物品。
【請求項６】
請求項１から５のいずれか１項に記載の吸収性物品において、
前記股間部位における前記凹部の最も深い最深部が、前記一端部における前記凹部の最も深い最深部よりも深いことを特徴とする吸収性物品。
【請求項７】
請求項１から６のいずれか１項に記載の吸収性物品において、
前記股間部位において、
前記吸収体の肌面側には、前記長手方向に沿った一対の肌側凹部が設けられており、
前記幅方向において、前記一対の肌側凹部は、前記凹部の最も深い最深部よりも浅く、前記最深部の両外側に設けられており、
前記一端部において、前記肌側凹部が設けられていないことを特徴とする吸収性物品。
【請求項８】
請求項１から７のいずれか１項に記載の吸収性物品において、
前記股間部位において、前記凹部を前記幅方向に横断する圧搾部が設けられていないことを特徴とする吸収性物品。
【発明の詳細な説明】
【技術分野】
【０００１】
本発明は、吸収性物品に関する。
【背景技術】
【０００２】
経血等の排泄液を吸収する吸収性物品として生理用ナプキンが知られている。このような生理用ナプキンの例として、特許文献１には、横方向圧縮の影響を受けると、吸収性コア１２に設けられた中央の縦線２２を備える成形線２０に沿って、吸収性コア１２を上向き（肌側）に屈曲させて、身体フィット性を改善させる生理用ナプキン１０が開示されている。
【先行技術文献】
【特許文献】
【０００３】
【特許文献１】特表２００２−５３８８４９号公報
【発明の概要】
【発明が解決しようとする課題】
【０００４】
しかし、特許文献１の生理用ナプキン１０の成形線２０は、縦方向の中央部（股領域）に設けたものであり、着用時に、吸収性コア１２の上向きの屈曲が減少して、着用者の身体へのフィット性が低下してしまう恐れがある。これを改善するために、例えば成形線２０を縦方向の中央部よりも長く形成すると、着用者の腹部や臀部に上向き（肌側）に屈曲した吸収体が当たってしまう等、着用者に違和感を生じさせてしまう恐れがあった。
【０００５】
本発明は、上記のような問題に鑑みてなされたものであって、着用者の身体の形状に対応し、フィット性を向上させる吸収性物品を提供する。
【課題を解決するための手段】
【０００６】
上記目的を達成するための主たる発明は、
互いに直交する長手方向、幅方向、及び厚さ方向を備え、液体吸収性繊維を有する吸収体を有する吸収性物品であって、前記吸収体は、前記幅方向における中央位置を含む中央領域に、前記長手方向に沿った凹部を有し、前記厚さ方向において前記凹部に肌側から隣接する肌側部位の繊維密度は、前記幅方向において前記凹部に外側から隣接する外側部位の繊維密度よりも高く、着用時に股間部に位置する股間部位における前記肌側部位の繊維密度は、前記長手方向の一端部における前記肌側部位の繊維密度よりも高いことを特徴とする吸収性物品である。
本発明の他の特徴については、本明細書及び添付図面の記載により明らかにする。
【発明の効果】
【０００７】
本発明によれば、繊維密度が高いほど剛性が高くなっており、使用者の排泄口に当接される股間部位における肌側部位の繊維密度が、長手方向における一端部における肌側部位の繊維密度よりも高いことで、長手方向の股間部位においては、肌側へ隆起する折れ曲がり変形をしやすくし、一方、長手方向の一端部は、着用者の身体の腹部又は臀部の形状に沿いやすくするように折れ曲がり変形を緩やかにすることができる。
【図面の簡単な説明】
【０００８】
【図１】図１は、生理用ナプキン１を厚さ方向の肌側から見た正面図である。
【図２】図２は、ナプキン１を厚さ方向の非肌側から見た平面図である。
【図３】図３は、図１中のＡ−Ａ矢視で示す概略断面である。
【図４】図４は、ナプキン１の吸収体１０を厚さ方向の非肌側から見た平面図である。
【図５】図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。
【図６】図６は、一対のロール部５０の概略拡大図である。
【図７】図７は、ナプキン１の使用態様について説明する図である。
【図８】図８Ａは、図５Ｄにおける凹部１５の概略断面図である。図８Ｂは、図８Ａ中における部分Ｚの拡大図である。
【図９】図９Ａは、使用前のナプキン１の凹部１５を説明する図である。図９Ｂは、着用状態のナプキン１の凹部１５を説明する図である。
【図１０】図１０Ａは、股間部位における凹部１５の概略断面図である。図１０Ｂは、後側部における凹部１５の概略断面図である。
【図１１】図１１は、一対のロール部５０の変形例である。
【発明を実施するための形態】
【０００９】
本明細書及び添付図面の記載により、少なくとも以下の事項が明らかとなる。  
互いに直交する長手方向、幅方向、及び厚さ方向を備え、液体吸収性繊維を有する吸収体を有する吸収性物品であって、前記吸収体は、前記幅方向における中央位置を含む中央領域に、前記長手方向に沿った凹部を有し、前記厚さ方向において前記凹部に肌側から隣接する肌側部位の繊維密度は、前記幅方向において前記凹部に外側から隣接する外側部位の繊維密度よりも高く、着用時に股間部に位置する股間部位における前記肌側部位の繊維密度は、前記長手方向の一端部における前記肌側部位の繊維密度よりも高いことを特徴とする吸収性物品である。
【００１０】
このような吸収性物品によれば、繊維密度が高いほど剛性が高くなっており、使用者の排泄口に当接される股間部位における肌側部位の繊維密度が、長手方向における一端部における肌側部位の繊維密度よりも高いことで、長手方向の股間部位においては、肌側へ隆起する折れ曲がり変形をしやすくし、一方、長手方向の一端部は、着用者の身体の腹部又は臀部の形状に沿いやすくするように折れ曲がり変形を緩やかにすることができる。
【００１１】
かかる吸収性物品において、前記股間部位における前記凹部の最も深い最深部と前記幅方向において重なる位置における、前記吸収体の前記厚さ方向の中央は、前記外側部位と前記幅方向において重なる位置における、前記吸収体の前記厚さ方向の中央より前記肌側に位置することが望ましい。
【００１２】
このような吸収性物品によれば、着用時に、股間部位が肌側に隆起するように折れ曲がりやすくなり、排泄口にフィットしやすくなり、排泄物をより早く吸収しやすくなる。
【００１３】
かかる吸収性物品において、前記凹部は、前記吸収体の前記長手方向の一端から他端まで設けられていることが望ましい。
【００１４】
このような吸収性物品によれば、股間部位は着用者の排泄口にフィットさせつつ、吸収体の長手方向における端部は、着用者の腹部又は臀部の形状に応じて、股間部位より緩やかな変形をするため、身体にフィットさせやすくなる。
【００１５】
かかる吸収性物品において、前記股間部位における前記肌側部位の単位面積当たりの前記液体吸収性繊維の質量は、前記一端部における前記肌側部位の単位面積当たりの前記液体吸収性繊維の質量より大きいことが望ましい。
【００１６】
このような吸収性物品によれば、股間部位における肌側部位の単位面積当たりの液体吸収性繊維の質量が一端部における肌側部位の単位面積当たりの液体吸収性繊維の質量より大きいため、股間部位においては、より多くの排泄物を吸収することができる。
【００１７】
かかる吸収性物品において、前記股間部位における前記幅方向に沿った前記凹部の断面形状は、前記一端部における前記幅方向に沿った前記凹部の断面形状と異なっていることが望ましい。
【００１８】
このような吸収性物品によれば、股間部位における凹部と一端部における凹部の断面形状が異なることで、着用時における吸収体の股間部位の形状の変化と、一端部における形状の変化を異ならせることができる。
【００１９】
かかる吸収性物品において、前記股間部位における前記凹部の最も深い最深部が、前記一端部における前記凹部の最も深い最深部よりも深いことが望ましい。
【００２０】
このような吸収性物品によれば、股間部位における凹部の最深部がより深いことで、股間部位は、吸収体をより肌側に突出するように変形しやすくし、一端部における凹部の最深部がより浅いことで、一端部においては、吸収体の変形をより緩やかにすることができる。
【００２１】
かかる吸収性物品において、前記股間部位において、前記吸収体の肌面側には、前記長手方向に沿った一対の肌側凹部が設けられており、前記幅方向において、前記一対の肌側凹部は、前記凹部の最も深い最深部よりも浅く、前記最深部の両外側に設けられており、前記一端部において、前記肌側凹部が設けられていないことが望ましい。
【００２２】
このような吸収性物品によれば、股間部位においては、非肌側面に形成された凹部によって、吸収体が肌側に隆起するように変形したときに、各肌側凹部の間の領域が着用者の肌に当たりやすくなる。このとき、一対の肌側凹部を設けない一端部よりもより平面に近い領域で着用者の肌に接触させることができるため、肌当たりを向上させることができる。
【００２３】
かかる吸収性物品において、前記股間部位において、前記凹部を前記幅方向に横断する圧搾部が設けられていないことが望ましい。
【００２４】
股間部位において、凹部を幅方向に横断する圧搾部を設けると、股間部位における凹部によって吸収体を肌側に隆起させる変形を阻害してしまう恐れがある。しかし、股間部位において、凹部を前記幅方向に横断する圧搾部が設けないことで、股間部位における凹部によって、吸収体を肌側に隆起させやすくなり、着用者の排泄口に吸収体をフィットさせやすくなる。
【００２５】
＝＝＝第１実施形態＝＝＝
＜生理用ナプキン１の基本的構成＞
本実施形態に係る吸収性物品の一例として生理用ナプキン１（以下、「ナプキン１」という。）について説明する。なお、以下の説明では、吸収性物品の例として生理用ナプキンについて説明するが、本実施形態の吸収性物品には、所謂おりものシート（例えば、パンティーライナー）等も含まれており、生理用ナプキンに限定されるものではない。
【００２６】
図１は、生理用ナプキン１を厚さ方向の肌側から見た正面図である。図２は、ナプキン１を厚さ方向の非肌側から見た平面図である。図３は、図１中のＡ−Ａ矢視で示す概略断面である。また、以下の説明では、ナプキン１の製品長手方向に沿った「長手方向」と、ナプキン１の製品短手方向に沿って長手方向と直交する「幅方向」と、長手方向及び幅方向とそれぞれ直交する「厚さ方向」と定義する。長手方向は、ナプキン１の使用時において着用者の腹側となる「前側」と、着用者の背側となる「後側」とを有する。厚さ方向は、ナプキン１の着用時に着用者の肌と当接する側（図３において上側）である「肌側」（「上側」ともいう。）と、その反対側（図３において下側）である「非肌側」（「下側」ともいう。）とを有する。また、図中のＸ−Ｘ線は幅方向における中心線である。
【００２７】
ナプキン１は、平面視縦長形状のシート状部材であり、液透過性のトップシート（肌側シート）２０と、液吸収性の吸収体１０と、液不透過性のバックシート（非肌側シート）３０とが厚さ方向の肌側から非肌側へと順に積層されている（図３参照）。そして、これら各部材２０、１０、３０は、それぞれ厚さ方向に隣接する部材と、ホットメルト接着剤等の接着剤ＨＭＡで接合されている。なお、接着剤ＨＭＡは、吸収体１０の肌面側及び非肌面側のそれぞれ全域に亘って任意の塗布パターンで塗布されており、Ωパターンやスパイラルパターン、ストライプパターン等の塗布パターンから選択することができる。
【００２８】
トップシート２０及びバックシート３０の平面形状は同形状であり、その平面サイズは、吸収体１０の平面サイズよりも大きい。そして、図１及び図２に示すように、両シート２０、３０の外周縁部２０ｅ、３０ｅ同士が接着又は溶着で接合されることにより、両シート２０、３０同士の間に吸収体１０が保持される。また、ナプキン１を下着（不図示）に載置固定する際に供される固定部となる、トップシート２０及びバックシート３０の長手方向の略中央部が幅方向の外側に延出したウイング部２０ｗ、３０ｗが形成されている。
【００２９】
吸収体１０は、吸収性コア１１と上側シート１２と下側シート１３とを有する。吸収性コア１１は、経血等の液体（排泄液）を吸収して保持する部材である。吸収性コア１１は、液体吸収性繊維であるセルロース系吸収性繊維と、熱可塑性樹脂繊維とを有し、これらの繊維同士が互いに混合した状態で、図１の破線で示されるように平面視縦長形状に成形されている。例えば、液体吸収性繊維としてはパルプ繊維等が使用され、熱可塑性樹脂繊維としては、鞘がポリエチレン（ＰＥ）で芯がポリエチレンテレフタレート（ＰＥＴ）の所謂鞘芯構造の複合繊維等が使用される。なお、この液体吸収性繊維としてレーヨン繊維を用いてもよく、熱可塑性樹脂繊維としてポリプロピレン（ＰＰ）の単独繊維や、ＰＥの単独繊維を用いてもよい。また、高吸収性ポリマー（所謂ＳＡＰ）等の液体吸収性粒状物を液体吸収性繊維に加えてもよい。
【００３０】
上側シート１２は、吸収性コア１１と平面形状が略同形のシート部材であり、吸収性コア１１の肌側面を覆うようにして接着剤ＨＭＡによって接合されている（図３）。上側シート１２は、エアスルー不織布等の不織布やティッシュペーパー等の、液透過性に優れた柔軟なシートが用いられる。下側シート１３は、吸収性コア１１と平面形状が略同形のシート部材であり、吸収性コア１１の非肌側面を覆うようにして接着剤ＨＭＡによって接合されている（図３）。下側シート１３は、ＳＭＳ（スパンボンド／メルトブローン／スパンボンド）不織布等の不織布やティッシュペーパー等の柔軟なシートが用いられる。
【００３１】
図４は、ナプキン１の吸収体１０を厚さ方向の非肌側から見た平面図である。図４は、便宜上、ナプキン１の外形を点線で示している。吸収体１０には、吸収体１０の剛性を高め、液体の吸収性及び拡散性を向上させるために、複数の吸収体点状圧搾部ＥＤ１０が設けられている。吸収体点状圧搾部ＥＤ１０の平面形状は略円形であり、千鳥状の配置パターンとされているが、何等これに限らない。また、吸収体１０の厚みは、３ｍｍ以下、望ましくは２ｍｍ以下であり、吸収体１０の繊維密度は、１．０×１０５〜４．０×１０５（ｇ／ｍ３）で、概ね均一である。ただし、吸収体１０の単位面積当たりの繊維の質量は、長手方向における前側部と中央部と後側部とで異なっている。本実施形態において、液体吸収性繊維の単位面積当たりの質量（重量）（以下、「単位面積当たりの繊維の質量」ともいう。）は、前側部は１７５（ｇ／ｍ２）、中央部は２５０（ｇ／ｍ２）、後側部は１７５（ｇ／ｍ２）であり、中央部の単位面積当たりの繊維の質量が最も多く、前側部及び後側部の吸収体１０の厚み（ｔｂ１０）より、中央部の吸収体１０（ｔ１０）の厚みの方が大きい（ｔ１０＞ｔｂ１０）。
【００３２】
なお、股間部位（後述）を含む中央部の単位面積当たりの繊維の質量を、ナプキン１の後側の端部を含む後側部の単位面積当たりの繊維の質量よりも大きくしていることによって、着用者の排泄口に接する股間部位において排泄物をより多く吸収することができるようにして、吸収体１０の長手方向の中央部で吸収した排泄物が吸収体１０の幅方向の端より外側に漏れてしまう恐れを軽減している。
【００３３】
吸収体１０の前側部、中央部、後側部の各厚み、単位面積当たりの繊維の質量、及び液体吸収性繊維の密度（「繊維密度」ともいう。）は周知の方法で測定することができる。例えば、各厚みは、ミツトヨ（株）製のダイアルシックネスゲージＩＤ−Ｃ１０１２Ｃ又はそれと同等のものを使用し、接触子の面積を２０ｃｍ２、接触圧を３ｇｆ／ｃｍ２に設定して対象部位を加圧して測定したり、その他、目視で比較したり、ナプキン１を長手方向に切った断面を撮影した画像を用いて比較したりしてもよい。また、単位面積当たりの繊維の質量は、例えば、対象部位をナプキン１から対象サンプルとして切り出し、対象サンプルの質量を直示天秤（例えば、研精工業株式会社製  電子天秤ＨＦ−３００）で測定し、対象サンプルの面積を測定し、単位面積当たりの質量を算出してもよい。繊維の密度は、例えば、対象部位をナプキン１から対象サンプルとして切り出し、上述の測定方法で対象サンプル単位面積当たりの質量（ｇ／ｍ２）を測定し、上述の測定方法で対象サンプルの厚さ（ｍ）を測定して、対象サンプル単位面積当たりの質量を対象サンプルの厚さで除することで算出することができる（ｇ／ｍ３）。
【００３４】
さらに、吸収体１０の非肌側面には、幅方向の中央領域に、長手方向に沿った線状の凹部１５が形成されている。凹部１５は、着用時に少なくとも股間部に位置する股間部位を含む、吸収体１０の長手方向の全長に亘って略直線状に設けられている。なお、「股間部位」とは、着用者がナプキン１を使用した際に股間部に位置する領域であり、具体的には、ナプキン１の長手方向においてウイング粘着部４０ｗが形成されている領域をいう。凹部１５は、着用時に厚さ方向の肌側に突出して折れ曲がるように誘導する。凹部１５の詳細は、後述する。
【００３５】
トップシート２０は、ナプキン１の使用時において着用者の肌と当接する部材であり、経血等の液体を厚さ方向の肌側から非肌側に透過させ、吸収体１０に移動させる。トップシート２０は、エアスルー不織布等の適宜な不織布の液透過性の柔軟なシートが用いられる。
【００３６】
図１に示すように、トップシート２０の肌側面には、肌側から複数の圧搾部（線状圧搾部ＥＬと、本体点状圧搾部ＥＤ２０）が形成されており、これにより、トップシート２０と吸収体１０とが一緒に厚さ方向に圧搾されて接合一体化されている。線状圧搾部ＥＬは、吸収体１０の外周縁部に沿って複数連なって形成されていて、全体として長手方向に長い略環状をなしている。線状圧搾部ＥＬは、長手方向の中央部に設けられ、長手方向に沿った形状の一対の線状圧搾部ＥＬｃと、吸収体１０の前側に設けられ、ナプキン１の前側の端部の外形に沿った形状の線状圧搾部ＥＬｆと、吸収体１０の後側に設けられ、ナプキン１の後側の端部の外形に沿った形状の線状圧搾部ＥＬｂと、線状圧搾部ＥＬｃと線状圧搾部ＥＬｂとの間に設けられ、長手方向に沿った形状の一対の線状圧搾部ＥＬｍとが設けられている。一方、本体点状圧搾部ＥＤ２０は略円形で、線状圧搾部ＥＬがトップシート２０上に区画する略閉じた領域内に離散的に形成されている。
【００３７】
バックシート３０は、ナプキン１の使用時においてトップシート２０を透過して吸収体１０によって吸収された液体が下着等の着衣側（非肌側）に染み出すことを抑制する。バックシート３０は、ポリエチレン（ＰＥ）等の適宜な樹脂フィルムの液不透過性の柔軟なシートが用いられる。
【００３８】
図２に示すように、バックシート３０の非肌面側には、ナプキン１の使用時にナプキン１を下着等に貼付して固定するための接着部（ウイング接着部４０ｗ、本体接着部４０ｃ）が設けられている。ウイング接着部４０ｗは、ウイング部３０ｗの非肌面側に略矩形状に形成される一対の接着部である。本体接着部４０ｃは、１対のウイング接着部４０ｗの幅方向の間の部分に、バックシート３０と吸収体１０とが重複する部分で長手方向に沿った複数の帯状の領域に適宜な接着剤ＨＭＡを塗布することにより形成されている。ナプキン１を使用する際は、本体接着部３０ｃを下着の股下部（クロッチ部）内側に貼付した状態で下着ごとナプキン１を装着することで、着用者の身体に対して吸収体１０の位置がずれないようにする。同様に、ウイング接着部４０ｗは、ウイング部３０ｗの領域に、略矩形形状の領域に適宜な接着剤ＨＭＡを塗布して形成している。ナプキン１を使用する際は、ウイング部３０ｗ（２０ｗ）を非肌側に折り曲げて、ウイング接着部４０ｗを下着の股下部の外側に貼付するようにしてナプキン１が固定され、使用時の位置ずれ等を抑制する。
【００３９】
＜点状圧搾部ＥＤ１０、ＥＤ２０、及び凹部１５の形成について＞
続いて、点状圧搾部ＥＤ１０、ＥＤ２０及び凹部１５の形成について説明する。吸収体点状圧搾部ＥＤ１０及び本体点状圧搾部ＥＤ２０は、肌側又は非肌側から厚さ方向に圧搾することによって設けられており、少なくとも肌側又は非肌側が凹んでいる。凹部１５は、長手方向に沿った線状の圧搾部であり、吸収体１０（ナプキン１）の幅方向の中心線Ｘ−Ｘを含む中央領域に設けられており、略矩形状で、所定の面積を有する。また、凹部１５は、吸収体１０の非肌面側から厚さ方向に圧搾して設けられた非肌側面が凹んだ線状の凹部である。
【００４０】
図５Ａ〜図５Ｄは、点状圧搾部ＥＤ１０、ＥＤ２０、及び凹部１５の形成について説明した図である。図５Ａは、図１中のＢ−Ｂ矢視で示す部分において、加工前の吸収体１０に吸収体点状圧搾部ＥＤ１０を形成した概略断面図である。図５Ｂは、図５Ａの吸収体１０に凹部１５を形成した概略断面図である。図５Ｃは、図５Ｂの吸収体１０にトップシート２０を積層した概略断面図である。図５Ｄは、図５Ｃのナプキン１に本体点状圧搾部ＥＤ２０を形成した概略断面図である。なお、図５Ａにおける吸収体１０は、図１中のＢ−Ｂ矢視で示す部分の吸収体１０であって、点状圧搾部ＥＤ１０、ＥＤ２０及び凹部１５を形成する前の加工前の吸収体１０に吸収体点状圧搾部ＥＤ１０を形成した状態を示しており、図５Ｂは、図５Ａの吸収体１０に凹部１５を形成した加工途中の状態を示しており、図５Ｄは、吸収体１０に点状圧搾部ＥＤ１０、ＥＤ２０及び凹部１５を形成した加工後の吸収体１０を示しており、便宜上、吸収体１０として示している。また、図５Ａ、図５Ｂ、図５Ｃ中のｙ−ｙ線は厚さ方向における吸収体１０の中心線であり、図５Ｄ中のＹ−Ｙは、厚さ方向におけるナプキン１の中心線である。なお、中心線Ｙ−Ｙは、ナプキン１の厚さ方向における中心線であり、後述の吸収体１０の外側領域Ｌの厚さ方向における中心線でもある。
【００４１】
まず、吸収体点状圧搾部ＥＤ１０を形成する。加工前の吸収体１０は、その全域に亘って厚みｔ１０を有しており、吸収体１０の肌側の面は肌側面１０ｔ、非肌側の面は非肌側面１０ｂである。複数の突部を有する凸ローラー（不図示）と、表面が平らなアンビルローラー（不図示）との間のロール間隙に、加工前の吸収体１０を通して、吸収体１０の非肌側から圧搾加工を行うことにより吸収体点状圧搾部ＥＤ１０が形成される。
【００４２】
図５Ａに示すように、吸収体点状圧搾部ＥＤ１０が形成された部分は、肌側及び非肌側のそれぞれから凹んでおり、吸収体１０の厚さ方向における略中央部に位置する。また、圧搾加工によって、吸収体点状圧搾部ＥＤ１０の吸収体１０の厚みは、厚みｔ１０より小さくなり、繊維が圧し潰されて、ｔ１０の厚みを有する部分より繊維密度が高くなっている。
【００４３】
続いて、凹部１５を形成する。凹部１５は、吸収体１０の幅方向における中央領域に圧搾加工を加えることで形成される（図５Ｂ）。具体的には、搬送方向に沿って駆動回転する上ロール５１ｕと下ロール５１ｄを有する一対のロール部５０を用いて形成する。
【００４４】
図６は、一対のロール部５０の概略拡大図である。吸収体１０は長手方向が搬送方向を向いた状態で搬送され、搬送方向と直交する方向を「ＣＤ方向」と定義した場合に、吸収体１０の幅方向は、基本的にＣＤ方向を向いている。
【００４５】
上ロール５１ｕには、回転方向の全周に亘って連続して環状に突出したリブ部５１ｒが設けられており、リブ部５１ｒの回転方向と直交する断面の形状は、上ロール５１ｕの回転半径方向の外側に向かうにつれてリブ幅が狭くなり、先端にはＣＤ方向に平行な頂面５１ｒｔを備える略等脚台形状を有している。形成された凹部１５のうち、頂面５１ｒｔが当接した部分の少なくとも一部が、後述する最深部１５ｍとなる。頂面５１ｒｔのＣＤ方向（幅方向）の長さは、０．５ｍｍ〜３．０ｍｍであることが好ましく、本実施形態においては、１．０ｍｍである。また、下ロール５１ｄには、外周面にリブ部５１ｒに対向する位置に、リブ部５１ｒを挿入することができる溝部５１ｍが回転方向の全周に亘って連続して環状に設けられており、溝部５１ｍの回転方向と直交する断面の形状も、下ロール５１ｄの回転半径方向の内側に向かうにつれて溝幅が狭くなりＣＤ方向に平行な底面５１ｍｂを備える略等脚台形状を有している。
【００４６】
凹部１５は、リブ部５１ｒを溝部５１ｍに押し込んで、頂面５１ｒｔが接触した部分の吸収体１０の厚みが最も薄くなるように圧搾加工を行うことで形成される。具体的には、上下ロール５１ｕ、５１ｄの間を搬送方向に沿って、吸収体１０の非肌側面１０ｂを上ロール５１ｕ、吸収体１０の肌側面１０ｔを下ロール５１ｄ側とした状態で、吸収体１０を通過させて、図６に示すように、加工前の吸収体１０の肌側面１０ｔよりも肌側に位置する部分まで、リブ部５１ｒを溝部５１ｍに押し込むことで形成される。また、下ロール５１ｄの外周面と溝部５１ｍとの境部分と当接する吸収体１０の部分Ｐ０に、後述の肌側凹部Ｐが形成される。
【００４７】
このとき、凹部１５のうち、頂面５１ｒｔと当接して吸収体１０の厚みが最も薄くなった部分の繊維密度が高くなる。凹部１５は、アンビルロールを用いて形成した点状圧搾部ＥＤ１０、ＥＤ２０とは異なり、リブ部５１ｒを溝部５１ｍに押し込むことによって形成しているため、点状圧搾部ＥＤ１０、ＥＤ２０よりも押し固めた加工を施している。
【００４８】
続いて、図５Ｃに示すように吸収体１０の肌側から、予め接着剤ＨＭＡを塗布したトップシート２０を積層し、固着する。
【００４９】
トップシート２０を積層した後、本体点状圧搾部ＥＤ２０を形成する。トップシート２０の上からトップシート２０と吸収体１０を厚さ方向に一緒に圧搾して本体点状圧搾部ＥＤが形成される。本体点状圧搾部ＥＤ２０は、吸収体点状圧搾部ＥＤ１０と同様に、複数の突部を有する凸ローラー（不図示）と、表面が平らなアンビルローラー（不図示）との間のロール間隙にトップシート２０を載置した吸収体１０を通して、肌側から圧搾加工を行うことで形成される（図５Ｄ）。
【００５０】
本体点状圧搾部ＥＤ２０の形成後、線状圧搾部ＥＬを形成する。線状圧搾部ＥＬは、線状圧搾部ＥＬに対応した配置パターンの複数の突部を有する凸ローラー（不図示）と、表面が平らなアンビルローラー（不図示）との間のロール間隙に、吸収体１０を通して、肌側から圧搾加工を行うことにより、線状圧搾部ＥＬが形成される。
【００５１】
その後、バックシート３０を吸収体１０の非肌側から積層して固着する。このとき、予めバックシート３０の略全面に所定の塗布パターンで接着剤ＨＭＡを塗布しておき、吸収体１０の非肌面側から、一定の圧力を加えてバックシート３０を積層する。
【００５２】
なお、本実施形態においては、吸収体点状圧搾部ＥＤ１０の形成、凹部１５の形成、トップシート２０の積層、本体点状圧搾部ＥＤ２０の形成、線状圧搾部ＥＬの形成の順で形成したが、これに限られない。まず、凹部１５を形成し、吸収体点状圧搾部ＥＤ１０を形成してもよい。また、トップシート２０を吸収体１０に積層してから、凹部１５を形成してもよい。
【００５３】
＜ナプキン１の使用時について＞
以下、ナプキン１の使用時の態様について説明する。図７は、ナプキン１の使用態様について説明する図である。着用者がナプキン１を装着する際には、まず、図７の状態Ａで表されるように、平らな状態のナプキン１を下着の股下部（クロッチ部）に固定する。このとき、吸収体１０の幅方向の長さは７０ｍｍであり、ウイング部３０ｗ（２０ｗ）を非肌側に折り曲げて、ウイング接着部４０ｗを下着の股下部外側に貼付してナプキン１が固定すると、ナプキン１の幅方向の長さは、吸収体１０の幅方向の長さと同程度となる。一般的に、着用者の股間幅は約３０ｍｍであるため、この状態Ａのナプキン１（吸収体１０）の幅方向の長さの方が長い状態となっている。通常、吸収体１０の幅方向の長さが長いほど、より多くの排泄物を吸収することができるが、吸収体１０の幅方向の長さが長すぎると、着用者の股下の幅よりも大きくなるため、着用者に違和感を与えたり、想定外の部分で折れ曲がってしまったりして、排泄物が漏れてしまう恐れがある。そのため、後述のように、着用者の身体に応じて変形させることを考慮して、吸収体１０の長さを７０ｍｍ程度とすることが適切である。
【００５４】
続いて、下着を着用者の股間２０１Ｋ側に引き上げる動作を行う。このとき、図７の状態Ｂに表すようにナプキン１は、吸収体１０の凹部１５に沿って肌側に突出するように折れ曲がる。そして、ナプキン１が着用者の股間２０１Ｋに着用された状態では、図７の状態Ｃに表すように、凹部１５に誘導されて肌側に突出した部分（図８Ａ等における肌側部位Ｈ）が、膣口等の排泄口２０１Ｈｅが存在する隙間に接しやすくなる。これにより、着用者に良好なフィット性を感じさせやすくなると共に、経血等の排泄液を漏れなく吸収体１０に吸収させ易くすることができる。また、着用者の身体の形状に応じて変形するため、着用者の股幅よりも長い幅を有する吸収体１０（ナプキン１）が着用者の身体に適したサイズとなり、排泄物の吸収量を確保しつつ、ナプキン１を着用者の身体にフィットさせることができる。
【００５５】
＜凹部１５の構成及び作用について＞
まず、股間部位における凹部１５について説明する。図８Ａは、図５Ｄにおける凹部１５の概略断面図である。図９Ａは、使用前のナプキン１の凹部１５を説明する図、図９Ｂは、着用状態のナプキン１の凹部１５を説明する図である。以下の説明における各部分の長さや深さは、周知の方法で測定することができる。例えば、ナプキン１を幅方向に切った断面を撮影した画像を用いて測定することができる。
【００５６】
凹部１５は、圧搾によって形成された溝であり、使用前のナプキン１の状態において、吸収体１０の非肌側面１０ｂの、幅方向の一方側において肌側に湾曲し始めた部分から、他方側において肌側に湾曲し終えた部分までをいう。凹部１５の幅方向の長さ１５ｗは、１．５ｍｍ〜３．５ｍｍが好ましく、本実施形態においては、長さ１５ｗは約２．４ｍｍである。この１５ｗが長いほど、吸収体１０がより折れ曲がりやすくなるが、凹部１５は圧搾によって形成されているため、繊維を押し潰して硬くなる恐れがあり、長さ１５ｗを長くするほど、排泄物等の液体を保持する容量が減少してしまう。そのため、肌側へ突出するように折り曲げるための折り曲げやすさと、排泄物を吸収する吸収体１０の液体吸収領域の確保を考慮して、凹部１５の幅方向の長さ１５ｗを２．０ｍｍ〜３．０ｍｍとすることが好ましい。
【００５７】
吸収体１０のうち、厚さ方向において、凹部１５に肌側から隣接する部位を肌側部位Ｈといい、幅方向において、凹部１５と重なる部分（図８Ａにおける濃い砂地模様の領域）である。また、幅方向において肌側部位Ｈに外側から隣接する部位を外側部位Ｌといい、各点状圧搾部ＥＤ１０、２０や凹部１５が形成されていない吸収体１０の厚みｔ１０を有する部分であり、外側部位Ｌの肌側面１０ｔ、非肌側面１０ｂは、加工前の吸収体１０の肌側面１０ｔ、非肌側面１０ｂとほぼ同じ位置である。本実施形態において、厚みｔ１０は、約１．３ｍｍである。
【００５８】
このとき、肌側部位Ｈの繊維密度は、外側部位Ｌの繊維密度より高い。一般的に繊維密度が高いほど毛管作用によって、より速く液体を吸収することが知られている。そのため、着用状態において（図７の状態Ｃ）、肌側に隆起するように折れ曲がると、排泄口に当接する肌側部位Ｈの繊維密度が高いことで、より速く排泄物を吸収することができる。肌側部位Ｈのうち、凹部１５の最も深い部分である最深部１５ｍに肌側から隣接する領域であり、幅方向において最深部１５ｍと重なる領域を高密度領域ＤＨという。最深部１５ｍは、幅方向に所定の長さ（例えば、約０．８ｍｍ）を有するため（図８ＡにおけるＷ）、高密度領域ＤＨは、長手方向だけでなく、幅方向に沿った平面領域を有している。
【００５９】
高密度領域ＤＨの厚さ方向の中央Ｈｃは、幅方向において外側部位Ｌと重なる位置における吸収体１０の厚さ方向の中央Ｌｃよりも肌側に位置している。本実施形態において、中央Ｌｃは、加工前の吸収体１０の厚さ方向の中央ｙ−ｙとほぼ同じ位置である。これによって、着用時において、着用者の股（脚）によって幅方向に力が加えられた場合でも、非肌側へ突出する変形よりも肌側へ突出するように折れ曲がることを誘導することができ、より着用者の排泄口に近い位置で排泄物を吸収することができる。
【００６０】
股間部位における最深部１５ｍの深さ、つまり、股間部位の外側部位Ｌの非肌側面１０ｂ（加工前の吸収体１０）から最深部１５ｍまでの厚さ方向の距離Ｌ２は、最深部１５ｍから肌側部位Ｈ（高密度領域ＤＨ）の肌側面１０ｔまでの厚さ方向の距離Ｌ１より長い（Ｌ２＞Ｌ１）。本実施形態においては、最深部１５ｍの深さＬ２を約０．８ｍｍとし、最深部１５ｍから肌側部位Ｈの肌側面１０ｔまでの厚さ方向の距離Ｌ１を約０．５ｍｍとして、圧縮加工により高密度領域ＤＨの繊維密度を高くしている。
【００６１】
ナプキン１の凹部１５は長手方向の全長に亘って形成されている。図１０Ａは、股間部位における凹部１５の概略断面図である。図１０Ｂは、後側部における凹部１５の概略断面図である。なお、図１０Ａにおける凹部１５は、図１中のＡ−Ａ矢視で示す部分の拡大断面図であり、図１０Ｂにおける凹部１５は、図１中のＤ−Ｄ矢視で示す部分の拡大断面図である。図１中のＤ−Ｄ矢視で示す部分は、ナプキン１の長手方向における後側の端部の凹部１５を示している。凹部１５は、長手方向の全長に亘って高密度領域ＤＨを有しているが、図１０Ａ及び図１０Ｂにおいて、便宜上、高密度領域ＤＨは省略している。また、以下、ナプキン１の長手方向における一端部の凹部１５として、後側の端部における凹部１５について説明するが、長手方向における他端部としての前側の端部における凹部１５についても同様である。また、ナプキン１の後側の端部における凹部１５は、吸収体１０の後側の端部における凹部１５である。
【００６２】
凹部１５は、回転方向の全周に亘って連続して突出したリブ部５１ｒを有する上ロール５１ｕと、回転方向の全周に亘って連続して環状に設けられた溝部５１ｍを有する下ロール５１ｄとの間に加工前の吸収体１０を通して圧搾加工を施すことで形成されている。このとき、吸収体１０の股間部位を含む長手方向における中央部は、後側の端部を含む後側部より吸収体１０の厚みが大きいため（ｔ１０＞ｔｂ１０）、股間部位における肌側部位Ｈが後側の端部における肌側部位Ｈよりも強く圧搾されて、股間部位における肌側部位Ｈの繊維密度が、後側の端部における繊維密度よりも高くなっている。同様に、股間部位における高密度領域ＤＨの繊維密度は、後側の端部における高密度領域ＤＨの繊維密度より高い。
【００６３】
股下部位における肌側部位Ｈ及び後側の端部における肌側部位Ｈの繊維密度は、必ずしも一定ではない。ナプキン１は、各肌側部位Ｈにおいて、高密度領域ＤＨが最も繊維密度が高く、外側部位Ｌに隣接する部分の繊維密度は低くなっている。また、凹部１５の形成時に各ロール５１ｕ、５１ｄとの接触度合いに応じても肌側部位Ｈにおける繊維密度は部分的に異なる場合がある。そのため、肌側部位Ｈの繊維密度が一定でない場合には、「肌側部位Ｈの繊維密度」は、肌側部位Ｈの全体における平均繊維密度を意味する。そして、股下部位の肌側部位Ｈ全体における平均繊維密度と、後側の端部の肌側部位Ｈ全体における平均繊維密度とを比較する。具体的には、上述の方法と同様に、周知の方法で測定して比較することができる。例えば、股下部位と後側の端部の各肌側部位Ｈ（幅方向の長さ１５ｗの範囲）を、長手方向の所定の長さ（１０ｍｍ）のサンプルとしてナプキン１からそれぞれ切り出し、各サンプルの質量を直示天秤（例えば、研精工業株式会社製  電子天秤ＨＦ−３００）で測定し、ナプキン１を幅方向に切った断面を撮影した画像を用いて各肌側部位Ｈの面積を算出し、各サンプルの質量を、各肌側部位Ｈの面積とサンプルとして切り出した所定の長さ（１０ｍｍ）の積で除することで、各肌側部位Ｈの繊維密度を算出し、比較することができる。
【００６４】
なお、各肌側部位Ｈの繊維密度の比較については、大小関係さえ特定できればよく、各質量や各面積等を必ずしも算出する必要はない。例えば、ナプキン１においては、凹部１５を形成する前（加工前）の吸収体１０の密度は略均一であり、股下部の単位面積当たりの繊維の質量は、後側部の単位面積当たりの繊維の質量の約１．４倍である。そこで、上記と同様に股下部位と後側の端部の各サンプルをそれぞれナプキン１から切り出すと、股下部位におけるサンプルの質量は、後側の端部のサンプルの質量の約１．４倍となる。この場合の各サンプルの断面を撮影した画像で、股下部位におけるサンプルの面積と、後側の端部のサンプルの面積とを目視により比較して、股下部位におけるサンプルの面積が、後側の端部のサンプルの面積の１．４倍より明らかに小さい場合には、股下部位におけるサンプルの繊維密度の方が、後側の端部のサンプルの繊維密度より高いという結果を得ることができる。
【００６５】
吸収体１０の肌側部位Ｈの繊維密度が高いほど、肌側部位Ｈの剛性が高くなり、凹部１５が起点となって吸収体１０を折り曲げる変形をさせやすくなる。ナプキン１においては、着用者の股間部に位置する股間部位における肌側部位Ｈの繊維密度をより高くすることで、着用時に、着用者の股（脚）によって幅方向に力が加えられた場合に、股下部位における凹部１５を起点として肌側に隆起するように吸収体１０を折り曲げやすくなる。一方、後側部は、着用時には、股間部位ほど肌側に隆起させる変形をさせる必要性が少ないため、後側の端部における肌側部位Ｈの繊維密度を、股下部位の肌側部位Ｈの繊維密度より低くすることで、後側部は、着用時に、着用者の臀部の形状に沿うように吸収体１０を緩やかに変形させることができる。このように、ナプキン１は、着用時に着用者の身体の形状に応じた変形することができ、吸収体１０を着用者の排泄口にフィットさせて、排泄物をより速く吸収しつつ、着用者がナプキン１を着用している際の違和感をより軽減させることができる。
【００６６】
また、股下部位における肌側部位Ｈの繊維密度の方が、前側及び後側の端部の肌側部位Ｈの繊維密度より高いことで、毛管作用により、吸収された排泄物が、後側の端部の肌側部位Ｈよりも股下部位における肌側部位Ｈで留まりやすくなる。ナプキン１においては、長手方向の中央部における肌側部位Ｈで排泄物が留まりやすくなる。このため、長手方向の前側部及び後側部の肌側部位Ｈまでは排泄物が拡散されにくくなっており、ナプキン１の前側部及び後側部に排泄物が付着していない領域を設けやすくなっているから、着用者が使用後のナプキン１を処分する際に、着用者が排泄物で手を汚す恐れを軽減することができる。
【００６７】
なお、凹部１５の形成方法は、上述のような、単位面積当たりの繊維の質量が異なる領域を有する加工前の吸収体１０に、回転方向の全周に亘って連続して突出したリブ部５１ｒを有する上ロール５１ｕと、回転方向の全周に亘って連続して環状に設けられた溝部５１ｍを有する下ロール５１ｄとで圧搾加工を施す方法に限られない。例えば、単位面積当たりの繊維の質量が略一定の加工前の吸収体１０に、回転方向に突出高さの異なるリブ部を備えた上ロールと、回転方向の全周に亘って連続した溝部を有する一対のロール部を用いて圧搾加工を施したりする等、適宜変更することができる。
【００６８】
さらに、ナプキン１の凹部１５は、吸収体１０の股間部位だけでなく、長手方向の全長に亘って形成されており、着用時に着用者の腹部に位置する前側部や臀部に位置する後側部にも凹部１５が設けられているため、股間部位においては凹部１５で肌側に突出させる変形をさせつつ、凹部１５の前側及び後側のそれぞれの端部では、着用者の身体に沿うように緩やかに形状を変化させることができる。
【００６９】
また、股間部位における幅方向に沿った凹部１５の断面形状は（図１０Ａ）、後側の端部における幅方向に沿った凹部１５の断面形状と（図１０Ｂ）異なっている。具体的には、股間部位における凹部１５と、後側の端部における凹部１５の幅方向の長さ１５ｗは略同じであり、いずれの最深部１５ｍの幅方向の長さＷも略同じ長さである。しかし、股間部位の凹部１５の最深部１５ｍの深さ（Ｌ２）は、後側の端部の凹部１５の最深部１５ｍの深さ（Ｌ５）よりも深い（Ｌ２＞Ｌ５）。後側の端部の凹部１５の最深部１５ｍの深さは、後側の端部の外側部位Ｌの非肌側面１０ｂから最深部１５ｍまでの厚さ方向の距離Ｌ５である。これは、上述の繊維密度と同様に、凹部１５の形成方法と吸収体１０の単位面積当たりの繊維の質量が異なることに依るものである。
【００７０】
このように、股間部位における幅方向に沿った凹部１５の断面形状と、後側の端部における幅方向に沿った凹部１５の断面形状が異なることで、着用時において、股間部位における吸収体１０の形状の変化と、後側の端部における吸収体１０の形状の変化を異なるものにすることができる。特に、ナプキン１のように、股間部位の凹部１５の最深部１５ｍの深さ（Ｌ２）を、後側の端部の凹部１５最深部１５ｍの深さ（Ｌ５）よりも深くすることで、股下部位の凹部１５はより深い溝となり、着用時にしっかりとしと肌側に突出させた山型形状とすることができる。一方、後側の端部の凹部１５は、股間部位ほど山型形状とすることが求められていないため、股下部位よりも浅い溝の凹部１５を形成して、着用者の臀部に沿いやすくしている。
【００７１】
さらに、吸収体１０の長手方向の中央部には、高密度領域ＤＨの幅方向の両外側に一対の肌側凹部Ｐが設けられているが（図１０Ａ等）、前側部及び後側部には一対の肌側凹部Ｐを有していない（図１０Ｂ）。各肌側凹部Ｐは、吸収体１０の肌側面に、長手方向に沿って設けられている。
【００７２】
図８Ｂは、図８Ａ中における部分Ｚの拡大図である。図８Ｂは、幅方向に沿ったナプキン１（吸収体１０）の断面に仮想直線Ｖを近づけて、仮想直線Ｖと吸収体１０とが２つの点で接した状態を示している。肌側凹部Ｐは、圧搾によって形成された溝であり、使用前のナプキン１の状態において、吸収体１０の肌側面１０ｔの、仮想直線と吸収体１０とが接した２つの点のうち、一方が窪み開始点で、他方が窪み終了点である。それぞれの肌側凹部Ｐの幅方向の長さはＷｐは、凹部１５の幅方向の長さ１５ｗより短い。具体的には、長さＷｐは０．３ｍｍ〜１．２ｍｍが好ましく、本実施形態においては、長さＷｐは、約０．８ｍｍである。これにより、幅方向の長さがより長い凹部１５によって、吸収体１０は肌側へ折れ曲がるように誘導され、幅方向の長さがより短い肌側凹部Ｐによって、非肌側へ折れ曲がるように誘導することができる。
【００７３】
肌側凹部Ｐの深さは、仮想直線Ｖと肌側最深部Ｐｍとの距離Ｌ３をいう（図８Ｂ）。このとき、肌側凹部Ｐの深さ（Ｌ３）は、凹部１５の最深部１５ｍの深さ、つまり、外側部位Ｌの肌側面１０ｂの非肌側面１０ｂ（加工前の吸収体１０）から最深部１５ｍまでの厚さ方向の距離Ｌ２よりも小さい（Ｌ３＜Ｌ２）。具体的には、本実施形態において、肌側最深部Ｐｍの深さ（Ｌ３）は、約０．２ｍｍであり、最深部１５ｍの深さ（Ｌ２）は、約０．８ｍｍである。なお、肌側凹部Ｐの深さは、肌側最深部Ｐｍと仮想直線Ｖとの距離Ｌ３であるが、図８Ｂ等に示すように、トップシート２０と肌側最深部Ｐｍとが接着していない場合には、肌側最深部Ｐｍの深さは、トップシート２０と肌側最深部Ｐｍとの距離とほぼ等しい。
【００７４】
股間部位は一対の肌側凹部Ｐを有することで、着用状態（図７の状態Ｃ）において、肌側部位Ｈが肌側に隆起するように吸収体１０が折れ曲がったときに、肌側部位Ｈのうちの肌側凹部Ｐ同士の間の領域が、着用者の肌に当接する部分となり（図９Ｂ）、肌側凹部Ｐを有さない場合よりも、より平面に近い高密度領域ＤＨを着用者の肌に当接させることができ、肌当たりを向上させることができる。なお、前側部及び後側部においては、着用者の肌に隆起させた凹部１５の平面部を着用者の肌に当接させる必要が少ないため、一対の肌側凹部Ｐを後側（前側）の一端部に設けなくてもよい。
【００７５】
さらに、図１に示すように、股間部位において、凹部１５を幅方向に横断する線状圧搾部ＥＬが設けられていないため、長手方向に沿った凹部１５が吸収体１０を肌側に隆起させる折れ曲がり変形を、幅方向に横断する線状圧搾部ＥＬが阻害してしまう恐れを軽減して、股間部位において、肌側に隆起させやすくしている。ナプキン１においては、線状圧搾部ＥＬは、凹部１５よりも強く圧搾加工を施した部分であり、凹部１５を幅方向に横断するように線状圧搾部ＥＬを設けると、凹部１５による吸収体１０の変形よりも、線状圧搾部ＥＬによる吸収体１０（ナプキン１）の変形の方が強く表れてしまう恐れがある。つまり、凹部１５を幅方向に横断するように線状圧搾部ＥＬを設けると、凹部１５に沿って山折り形状ではなく、幅方向に沿った山折り形状となってしまう恐れがある。そのため、股間部位においては、吸収体１０を凹部で肌側に隆起させやすくするために、凹部１５を幅方向に横断する線状圧搾部ＥＬが設けないことにして、着用者の排泄口に吸収体１０をフィットさせやすくした。
【００７６】
一方、ナプキン１の前側においては、凹部１５の前側を幅方向に横断する線状圧搾部ＥＬｆを設けており、ナプキン１の後側においては、凹部１５を幅方向に横断する線状圧搾部ＥＬｂを設けている。ナプキン１の前側及び後側については、股下部位ほど肌側に隆起させる必要はなく、肌側に突出するよりも着用者の腹部及び臀部の形状に沿った形状とすることが好ましい場合もある。そのため、ナプキン１の前側及び後側においては、凹部１５を幅方向に横断する線状圧搾部ＥＬｆ、ＥＬｂを設けることで、身体の形状に沿わせやすくすることができる。
【００７７】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７８】
上述の実施形態においては、吸収体１０の長手方向の全長に亘って凹部１５を形成したが、これに限られない。少なくとも、着用時において、着用者の股間に対応する位置である股間部位と、ナプキン１の長手方向の一端部（例えば後側の端部）又は他端部（例えば前側の端部）に凹部１５を設けるものであってもよい。股下部位と、一端部又は他端部のいずれか一方に凹部１５を設けることで、ナプキン１の幅方向の中央領域における股下部が肌側に突出させやすくしつつ、着用者の臀部又は腹部の形状に沿うように吸収体１０を変形させることができる。ただし、ナプキン１のように、股下部位と、長手方向における両端部に凹部１５を形成し、吸収体１０の全長に亘って形成することで、吸収体１０を腹側から臀部に亘って着用者の身体の形状に沿わせることができるため、着用者の身体によりフィットさせることができる。
【００７９】
また、上述の実施形態においては、図６に示すように、上ロール５１ｕのリブ部５１ｒを下ロール５１ｄの溝部５１ｍに押し込んで、頂面５１ｒｔが当接して吸収体１０の厚みが最も薄い部分を形成したが、これに限られない。図１１は、一対のロール部５０の変形例である。図１１に示すように、上ロール５１ｕのリブ部５１ｒと下ロール５１ｄの溝部５１ｍとのクリアランスを変えて、頂面５１ｒｔが当接する部分ではなく、リブ部５１ｒの斜面と溝部５１ｍの斜面とに挟まれた領域の吸収体１０の厚みを最も薄くしてもよい。これにより、着用時に着用者の肌に当接する部分を強く圧搾して硬くなってしまう恐れを軽減することができるため、肌触りを向上させることができる。
【００８０】
上述の実施形態においては、肌側部位Ｈを肌側に突出させたがこれに限られない。着用前の状態において、肌側部位Ｈの肌側面１０ｔが外側部位Ｌの肌側面１０ｔよりも非肌側に凹んでいてもよい。この場合においても、凹部１５において吸収体１０を肌側に突出させて着用者の排泄口にフィットさせることができる。
【００８１】
また、上述の実施形態においては、吸収体１０の長手方向の中央部には、高密度領域ＤＨの幅方向の両外側に一対の肌側凹部Ｐが設けられていたが、必ずしもこれに限られない。一対の肌側凹部Ｐを有していなくても、股下部位における肌側部位Ｈの繊維密度が、長手方向の一端部における肌側部位Ｈの繊維密度より高ければ、股下部位における吸収体１０のフィット性を確保しつつ、着用者の腹部又は臀部の形状に応じた変形が可能となる。
【符号の説明】
【００８２】
１  生理用ナプキン（ナプキン）、１０  吸収体、１０ｔ  肌側面、１０ｂ  非肌側面、１１  吸収性コア、１２  上側シート、１３  下側シート、１５  凹部、１５ｍ  最深部、２０  トップシート（肌側シート）、２０ｅ  外周縁部、２０ｗ  ウイング部、３０  バックシート（非肌側シート）、３０ｅ  外周縁部、３０ｗ  ウイング部、４０ｃ  本体接着部、４０ｗウイング接着部、５０  一対のロール部、５１ｕ  上ロール、５１ｄ  下ロール、５１ｒ  リブ部、５１ｍ  溝部、５１ｒｔ  頂面、５１ｍｂ  底面、２０１Ｋ  股間、２０１Ｈｅ  排泄口、ＤＨ  高密度領域、ＥＤ１０  吸収体点状圧搾部、ＥＤ２０  本体点状圧搾部、ＥＬ  線状圧搾部（圧搾部）、Ｈ  肌側部位、Ｌ  外側部位、ＨＭＡ  接着剤、Ｐ  肌側凹部、Ｐｍ  肌側最深部
【図１】
2018102828.tif 000003
【図２】
2018102828.tif 000004
【図３】
2018102828.tif 000005
【図４】
2018102828.tif 000006
【図５】
2018102828.tif 000007
【図６】
2018102828.tif 000008
【図７】
2018102828.tif 000009
【図８】
2018102828.tif 000010
【図９】
2018102828.tif 000011
【図１０】
2018102828.tif 000012
【図１１】
2018102828.tif 000013